(57)【要約】【課題】一例として、電子機器をより容易に立てることが可能な電子機器用のスタンドおよび電子機器システムを得る。【解決手段】実施形態にかかる電子機器用のスタンドは、一例として、基部と、第二の支持部と、を備える。基部は、電子機器の端部を支持する第一の支持部と、第一のコネクタと電気的に接続される第二のコネクタと、を有する。第二の支持部は、倒れた姿勢の第一の位置と立った姿勢の第二の位置との間で回動可能に基部に支持され、第一の支持部による支持位置に近付くように移動する端部に押されて第一の位置から第二の位置に回動し、当該立った姿勢で壁部を支持する。【選択図】図１２
2014130947.tif 000002
【特許請求の範囲】
【請求項１】
筐体と表示画面と第一のコネクタと当該第一のコネクタが露出し前記表示画面の周縁部に沿った前記筐体の端部と前記表示画面とは反対側の前記筐体の壁部とを有した電子機器の前記端部を支持する第一の支持部と、前記第一のコネクタと電気的に接続される第二のコネクタと、を有した基部と、
倒れた姿勢の第一の位置と立った姿勢の第二の位置との間で回動可能に前記基部に支持され、前記第一の支持部による支持位置に近付くように移動する前記端部に押されて前記第一の位置から前記第二の位置に回動し、当該立った姿勢で前記壁部を支持する第二の支持部と、
を備えた、電子機器用のスタンド。
【請求項２】
前記第二の支持部は、前記基部に、前記第二の位置と立った姿勢の第三の位置との間で移動可能に支持された、請求項１に記載のスタンド。
【請求項３】
前記基部は、前記第三の位置で前記第二の支持部を支持する第三の支持部を有した、請求項１または２に記載のスタンド。
【請求項４】
前記第二の支持部は、重力により前記第二の位置から前記第三の位置へ移動可能に構成された、請求項２または３に記載のスタンド。
【請求項５】
前記基部は、前記立った姿勢の前記第二の支持部を前記筐体との間に挟む状態で支持する第四の支持部を有した、請求項１〜４のうちいずれか一つに記載のスタンド。
【請求項６】
前記基部は、前記第二の支持部を前記第一の位置と前記第二の位置との間で回動可能に支持するとともに、前記第二の支持部を前記第二の位置と前記第三の位置との間で移動可能に支持する第五の支持部を有した、請求項２に記載のスタンド。
【請求項７】
前記端部の前記支持位置への移動を案内するガイド部を備え、
前記第二の支持部は、前記端部が前記ガイド部でガイドされる位置よりも前記支持位置の近くに位置されて前記端部に押される押部を有した、請求項１〜６のうちいずれか一つに記載のスタンド。
【請求項８】
前記第二の支持部は、前記第一の位置に位置された状態で前記端部の移動を案内する前記ガイド部を有した、請求項７に記載のスタンド。
【請求項９】
前記第二の支持部は、さらに、前記基部に、前記第一の位置と前記第二のコネクタを覆う倒れた姿勢の第四の位置との間で移動可能に支持された、請求項１〜８のうちいずれか一つに記載のスタンド。
【請求項１０】
前記第二の支持部は、前記基部に、前記第一の位置と前記第二のコネクタを覆う倒れた姿勢の第四の位置との間で移動可能に支持され、
前記第五の支持部は、前記第二の支持部を前記第一の位置と前記第二の位置との間で回動可能に支持し、前記第二の支持部を前記第二の位置と前記第三の位置との間で移動可能に支持するとともに、前記第二の支持部を前記第一の位置と前記第四の位置との間で移動可能に支持した、請求項６に記載のスタンド。
【請求項１１】
筐体と表示画面と当該表示画面の周縁部に沿った前記筐体の端部と前記表示画面とは反対側の前記筐体の壁部と有した電子機器と、
前記電子機器を支持するスタンドと、
を備え、
前記スタンドは、
前記筐体の前記端部を支持する固定部と、
少なくとも倒れた姿勢の第一の位置と立った姿勢の第二の位置との間で回動可能に前記固定部に支持され、前記第一の支持部による支持位置に近付くように移動する前記端部に押されて前記第一の位置から前記第二の位置に回動し、当該立った姿勢で前記壁部を支持する可動部と、
を備えた、電子機器システム。
【発明の詳細な説明】
【技術分野】
【０００１】
本発明の実施形態は、電子機器用のスタンドおよび電子機器システムに関する。
【背景技術】
【０００２】
従来、可動式の支持部を有して電子機器を立った状態で着脱可能に支持するスタンドが知られている。
【先行技術文献】
【特許文献】
【０００３】
【特許文献１】特開２００４−１２６９６６号公報
【発明の概要】
【発明が解決しようとする課題】
【０００４】
この種の装置では、一例としては、スタンドに電子機器をより容易に立てることができれば好ましい。
【０００５】
そこで、本発明の実施形態は、一例として、電子機器をより容易に立てることが可能な電子機器用のスタンドおよび電子機器システムを得ることを目的の一つとする。
【課題を解決するための手段】
【０００６】
本発明の実施形態にかかる電子機器用のスタンドは、一例として、基部と、第二の支持部と、を備える。基部は、電子機器の端部を支持する第一の支持部と、第一のコネクタと電気的に接続される第二のコネクタと、を有する。第二の支持部は、倒れた姿勢の第一の位置と立った姿勢の第二の位置との間で回動可能に基部に支持され、第一の支持部による支持位置に近付くように移動する端部に押されて第一の位置から第二の位置に回動し、当該立った姿勢で壁部を支持する。
【図面の簡単な説明】
【０００７】
【図１】図１は、実施形態にかかる電子機器の一例の正面図である。
【図２】図２は、実施形態にかかる電子機器の一例の側面図である。
【図３】図３は、実施形態にかかる電子機器の一例の内部構成が示された概略図である。
【図４】図４は、実施形態にかかる電子機器の一例がスタンドに支持された状態が示された斜視図である。
【図５】図５は、実施形態にかかるスタンドの一例の斜視図であって、第二の支持部が第一の位置にある状態が示された図である。
【図６】図６は、実施形態にかかるスタンドの一例の斜視図であって、第二の支持部が第三の位置にある状態が示された図である。
【図７】図７は、実施形態にかかるスタンドの一例の斜視図であって、第二の支持部が第四の位置にある状態が示された図である。
【図８】図８は、実施形態にかかるスタンドの一例の基部の斜視図である。
【図９】図９は、実施形態にかかるスタンドに含まれる第二の支持部の一例の斜視図である。
【図１０】図１０は、実施形態にかかるスタンドに含まれる第二の支持部の一例の図９とは別の視線での斜視図である。
【図１１】図１１は、実施形態にかかるスタンドの一例に電子機器が取り付けられる前の状態が示された、図５のXI−XI位置での断面図である。
【図１２】図１２は、実施形態にかかるスタンドの一例に電子機器が取り付けられる際に筐体が第二の支持部を押し始めた状態が示された、図５のXI−XI位置での断面図である。
【図１３】図１３は、実施形態にかかるスタンドの一例に電子機器が取り付けられる際に筐体に押された第二の支持部が第二の位置に位置された状態が示された、図５のXI−XI位置での断面図である。
【図１４】図１４は、実施形態にかかるスタンドの一例に電子機器が取り付けられた状態が示された、図５のXI−XI位置での断面図である。
【図１５】図１５は、実施形態にかかるスタンドの一例の第二の支持部が第一の位置に位置された状態が示された、図５のXI−XI位置での断面図である。
【図１６】図１６は、実施形態にかかるスタンドの一例の第二の支持部が第四の位置に位置された状態が示された、図５のXI−XI位置での断面図である。
【図１７】図１７は、実施形態の変形例にかかるスタンドの一例の斜視図であって、第二の支持部が第三の位置にある状態が示された図である。
【図１８】図１８は、実施形態の変形例にかかるスタンドの一例の第二の支持部が第三の位置に位置された状態が示された、図５のXI−XI位置での断面図である。
【発明を実施するための形態】
【０００８】
以下の例示的な実施形態および変形例には、同様の構成要素が含まれる。よって、以下では、同様の構成要素には共通の符号が付されるとともに、重複する説明が部分的に省略される。
【０００９】
また、以下の実施形態および変形例では、電子機器がパーソナルコンピュータとして構成された場合が例示されるが、本実施形態にかかる電子機器は、これには限定されない。本実施形態にかかる電子機器は、例えば、スマートフォンや、携帯電話機、ＰＤＡ（personal digital assistant）、電子辞書装置、映像表示装置、テレビ電話機、ソフトキーボードを有した表示装置等の種々の電子機器として構成することができる。
【００１０】
＜実施形態＞
図１〜３では、便宜上、方向（Ｘ方向、Ｙ方向、Ｚ方向）が示される。Ｘ方向は、表示画面４ａに対する正面視での長手方向、Ｙ方向は、表示画面４ａに対する正面視での短手方向、Ｚ方向は表示画面４ａに対する正面視での前方向（筐体３の厚さ方向）である。Ｘ方向、Ｙ方向、およびＺ方向は、相互に直交する。
【００１１】
本実施形態では、一例として、図１，２等からわかるように、電子機器１の筐体３は、正面視および背面視では四角形状（本実施形態では一例として長方形状）の外観を呈する。また、筐体３は、前後方向（筐体３の厚さ方向、Ｚ方向）に薄い偏平な直方体状に構成される。筐体３は、面３ａ（正面、前面、表面、面部）とその反対側の面３ｂ（背面、後面、裏面、面部）と、を有する。面３ａと面３ｂとは互いに反対側を向いた姿勢で（本実施形態では一例として平行に）設けられる。筐体３は、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。端部３ｄ，３ｆは、短辺部の一例である。また、筐体３は、面３ａと面３ｂとの間に亘った四つの面３ｐ（側面、面部）を有する。なお、複数の面３ｐは、明確に分離される必要は無く、屈曲部等を介して滑らかに繋がってもよい。また、以下では、便宜上、図２の上側（表示画面４ａの法線方向）を正面側、図２の下側（正面側とは反対側）を背面側と記す。
【００１２】
また、筐体３は、正面側に位置された壁部３ｋ（部分、プレート、フレーム、前壁部、表壁部、天壁部）と、背面側に位置された壁部３ｍ（部分、プレート、後壁部、裏壁部、底壁部）と、を有する。壁部３ｋ，３ｍは、四角形状（本実施形態では一例として長方形状）である。壁部３ｋには、四角形状の開口部３ｒが設けられる。よって、壁部３ｋは、四角形状の枠状である。表示装置４の表示画面４ａは、タッチパネル５（タッチセンサ、入力操作パネル）の透明部で覆われる。表示画面４ａは、開口部３ｒを介して、視認可能である。壁部３ｋは、表示装置４を囲う。壁部３ｍは、四角形状の板状である。壁部３ｍは、表示装置４の表示画面４ａの反対側に位置された裏面（図示されず）を覆う。また、筐体３は、壁部３ｋと壁部３ｍとの間に亘った四つの壁部３ｎ（部分、プレート、側壁部、端壁部、立壁部、亘部）を有する。壁部３ｎは、壁部３ｍと交叉し、表示装置４の側面（図示されず）に沿い、当該側面を覆う。なお、壁部３ｍと壁部３ｎとは、必ずしも明確に分離される必要は無く、屈曲部等を介して滑らかに繋がってもよい。壁部３ｍと壁部３ｎとの断面は、一連の弧状であってもよい。壁部３ｋと壁部３ｎとも、必ずしも明確に分離される必要は無く、屈曲部等を介して滑らかに繋がってもよい。壁部３ｋと壁部３ｎとの断面も、一連の弧状であってもよい。また、図２に示されるように、壁部３ｎには、コネクタやスイッチ（操作部）等が露出する開口部３ｎ１が設けられる。本実施形態では、一例として、図２に示された三つの開口部３ｎ１のうち、中央の開口部３ｎ１はコネクタ１６（第一のコネクタ、図３参照）用の開口部であり、両側の開口部３ｎ１は、スピーカモジュール１８用の開口部である。壁部３ｋ，３ｍは、ＸＹ平面に略沿って拡がる。なお、筐体３は、壁部３ｋと壁部３ｍとの間に位置された壁部（部分、プレート、フレーム、中間壁部、内壁部、ミドルプレート、ミドルフレーム、第三壁部、図示されず）を有することができる。
【００１３】
また、本実施形態では、一例として、筐体３は、複数の部材（筐体部材、部品、分割体）が組み合わせられて構成されることができる。筐体３を構成する部材は、例えば、合成樹脂材料（プラスチック、エンジニアリングプラスチック等）や、金属材料（アルミニウム合金や、マグネシウム合金、ステンレススチール等）等であることができる。
【００１４】
また、本実施形態では、一例として、筐体３内には、表示装置４（表示部、ディスプレイ、パネル、表示部品）の少なくとも一部が収容される。使用者は、正面側（前方側）から開口部３ｒを介して表示画面４ａを視認することができる。表示装置４は、正面視では四角形状（本実施形態では一例として長方形状）の外観を呈する。また、表示装置４は、前後方向（Ｚ方向、筐体３の厚さ方向）に薄い偏平な直方体状に構成される。表示装置４は、例えば、液晶ディスプレイ（ＬＣＤ，liquid crystal display）や、有機ＥＬディスプレイ（ＯＥＬＤ，organic electro-luminescent display）等である。なお、表示装置４は、フレキシブルディスプレイであることができる。また、タッチパネル５は、表示装置４内に組み込まれたインセルタッチパネルとして構成することができる。
【００１５】
また、本実施形態では、一例として、図３に示されるように、筐体３内には、表示装置４の後側（裏側、背後側、壁部３ｍ側、表示画面４ａとは反対側）に、電気部品１０（部品）として、回路基板１１（基板、プリント基板、制御基板）や、配線１３（ケーブル、ハーネス、フレキシブルケーブル、フレキシブルプリント配線板等）、カメラモジュール１４（カメラユニット、カメラアセンブリ、カメラ、撮像装置）、バッテリモジュール１５（バッテリ、組電池、セル、モジュール、バッテリパック、バッテリユニット）、コネクタ１６（コネクタユニット、コネクタアセンブリ、コネクタモジュール、コネクタ装置、結合部、接続部）、モーションセンサ１７（モーションセンサモジュール、モーション検出部）、スピーカモジュール１８（スピーカユニット、スピーカアセンブリ、スピーカ、音声出力装置）等の電気部品が含まれる。これら電気部品は、配線１３を介して、それぞれ他の電気部品と電気的に接続される。また、筐体３内には、図示されないが、振動発生部（一例としては、回転シャフトに偏心錘が取り付けられたモータ）等が収容されうる。また、回路基板１１には、電気部品１０として、種々の部品１２（電子部品、素子、チップ、パッケージ等）が設けられる（実装される）。
【００１６】
本実施形態では、一例として、バッテリモジュール１５は、リチウムイオン二次電池として構成されることができる。本実施形態では、一例として、表示装置４の他、筐体３に装備された電気部品に、配線１３等を介して、電子機器１が映像を表示したり音声を出力したりといった動作を行うために必要な電源電力を供給することができる。また、バッテリモジュール１５は、配線１３や、導体部（バスバー、図示されず）、コネクタ１６等を介して回路基板１１等に電気的に接続された外部装置等に電力を供給することもできる。また、本実施形態では、一例として、バッテリモジュール１５は、正面視や背面視では四角形状の外観を呈し、筐体３の厚さ方向に薄い偏平な形状を呈する。また、本実施形態では、一例として、バッテリモジュール１５は、端部３ｃよりも端部３ｅに近い位置に設けられる。
【００１７】
本実施形態では、一例として、コネクタ１６は、外部の電子機器等と電気的な接続を確立するため、他のコネクタモジュール（例えば、スタンド４０のコネクタ４４、図５等参照）と電気的に接続される。コネクタ１６は、筐体３の内部で、端部３ｅに寄せて設けられる。また、本実施形態では、一例として、コネクタ１６は、回路基板１１に設けられる（実装される）。なお、コネクタ１６が設けられる回路基板１１と、他の部品１２が設けられる回路基板１１とを、別個に構成することができる。
【００１８】
本実施形態では、一例として、回路基板１１には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品１２を実装することができる。
【００１９】
また、本実施形態では、一例として、電子機器１は、図４〜１０に示されるスタンド４０（支持部、拡張装置、ドック、ドッキングステーション、クレードル）に着脱可能に支持される。スタンド４０は、電子機器１の筐体３の端部３ｅを支持する。スタンド４０には、載置面Ｐから離れた側（上方）へ開放された凹部４０ａ（溝部）が設けられており、端部３ｅがこの凹部４０ａ内に収容される。すなわち、本実施形態では、凹部４０ａを構成する面４０ｂ〜４０ｄ（壁部、ベース部４１の一部、図５参照）が、第一の支持部の一例である。電子機器１は、スタンド４０に、載置面Ｐ側（下方）に位置した端部３ｅから載置面Ｐより離れた側（上方）に位置した端部３ｃに向かうにつれて背面側へ向かう後傾した姿勢で支持される。
【００２０】
スタンド４０は、ベース部４１（基部、固定部）と、可動部４２とを、備える。ベース部４１は、載置面Ｐに沿った扁平な直方体状の外観を呈する。ベース部４１は、筐体４３を有する。筐体４３内には、電子部品（電気部品、部品）が実装された回路基板（回路基板アセンブリ）や、当該回路基板には実装されない電気部品等（いずれも図示されず）が収容されうる。筐体４３は、面４３ａ（上面、天壁、壁部）と、面４３ｂ（下面、底壁、壁部）と、面４３ｃ〜４３ｆ（側面、側壁、壁部、端部）と、を有する。凹部４０ａは、面４３ｃに近い位置で当該面４３ｃに沿って直線状に延びている。
【００２１】
また、本実施形態では、一例として、図５，６に示されるように、凹部４０ａの長手方向の中央位置（中間位置）には、コネクタ４４（第二のコネクタ、コネクタユニット、コネクタアセンブリ、コネクタモジュール、コネクタ装置、結合部、接続部）が突出している。コネクタ４４は、電子機器１のコネクタ１６（第一のコネクタ）と電気的に接続される。また、コネクタ４４は、筐体４３内に設けられる回路基板や、複数の別のコネクタ（図示されず）と電気的に接続されうる。さらに、当該複数の別のコネクタは、筐体４３の面４３ｄで露出し（図示されず）、さらに別の外部コネクタと電気的に接続されうる。すなわち、スタンド４０は、拡張装置としての役割を果たすことができる。
【００２２】
また、本実施形態では、一例として、可動部４２は、図５，１１，１５に示される第一の位置Ｐ１、図１３に示される第二の位置Ｐ２、図６，１４に示される第三の位置Ｐ３、および図７，１６に示される第四の位置Ｐ４の間で移動可能に、ベース部４１に支持されている。また、可動部４２は、第一の位置Ｐ１、第三の位置Ｐ３、および第四の位置Ｐ４のそれぞれで静止した状態に支持されることができる。
【００２３】
また、本実施形態では、一例として、図５〜８に示されるように、筐体４３の面４３ａに、平面視では長方形状の外観を呈した略一定の深さの凹部４０ｅが設けられている。図５に示されるように、可動部４２（壁部４２ａ）は、第一の位置Ｐ１では、凹部４０ｅに収容される。すなわち、凹部４０ｅは、可動部４２（壁部４２ａ）の収容部の一例である。なお、可動部４２が凹部４０ｅに収容された状態では、可動部４２の面４２ｂと筐体４３の面４３ａとがほぼ連なっている。また、凹部４０ｅの凹部４０ａから離れた側には、凹部４０ｆが設けられている。ユーザは、この凹部４０ｆに手指を入れて、可動部４２を第一の位置Ｐ１から第四の位置Ｐ４へ動かすことができる。
【００２４】
さらに、本実施形態では、一例として、図８に示されるように、凹部４０ａの面４０ｄには、正面視では長方形状の外観を呈した略一定の深さの凹部４０ｇが設けられている。図６に示されるように、可動部４２（壁部４２ａ）は、第三の位置Ｐ３では、凹部４０ｇに収容される。すなわち、凹部４０ｇは、可動部４２（壁部４２ａ）の収容部の一例である。
【００２５】
図５，１１，１５に示される第一の位置Ｐ１では、可動部４２（壁部４２ａ）は、倒れた姿勢（伏臥姿勢）で、凹部４０ａの面４３ｃとは反対側（後方側、背後側）に位置され、凹部４０ｅ内に収容されている。この状態で、凹部４０ａならびにコネクタ４４は、載置面Ｐとは反対側（上方）に露出されている。よって、電子機器１の端部３ｅを凹部４０ａに挿入する（差し込む）ことができる。すなわち、可動部４２は、第一の位置Ｐ１では、凹部４０ａならびにコネクタ４４を開放する開状態にあるとともに、電子機器１を受け入れ可能な待機状態にある。
【００２６】
図６，１４に示される第三の位置Ｐ３では、可動部４２（壁部４２ａ）は、立った姿勢（起立姿勢）で、凹部４０ａの面４３ｃとは反対側（後方側、背後側）に位置されている。可動部４２は、第三の位置Ｐ３では、電子機器１を支持することができる。筐体３を支持した支持状態では、可動部４２は、筐体３の壁部３ｍを支持する。可動部４２は、第二の支持部の一例である。
【００２７】
図７，１６に示される第四の位置Ｐ４では、可動部４２（壁部４２ａ）は、倒れた姿勢（伏臥姿勢）で、凹部４０ｅ内の前方側に位置され、凹部４０ａならびにコネクタ４４を覆っている。可動部４２が第四の位置Ｐ４に位置している状態では、スタンド４０には電子機器１を取り付けることができない。すなわち、可動部４２は、第四の位置Ｐ４では、凹部４０ａならびにコネクタ４４を覆う閉状態（被覆状態、抑制状態）にある。
【００２８】
また、本実施形態では、一例として、図８に示されるように、凹部４０ｅの、凹部４０ａの長手方向（装着される電子機器１の筐体３の端部３ｅの長手方向）に対向する二つの面４０ｈ（内面）には、それぞれ間隔をあけて二つのシャフト４０ｉ，４０ｊ（支持部、突出部、突起、軸）ならびに二つのシャフト４０ｋ，４０ｍ（支持部、突出部、突起、軸）が設けられている。これら四つのシャフト４０ｉ，４０ｊ，４０ｋ，４０ｍは、いずれも凹部４０ａの長手方向に沿って延びている。また、互いに対向する二つのシャフト４０ｉ，４０ｋが、それぞれ凹部４０ａの長手方向に沿った一直線上に並ぶように配置されている。また、互いに対向する二つのシャフト４０ｊ，４０ｍも、それぞれ凹部４０ａの長手方向に沿った一直線上に並ぶように配置されている。シャフト４０ｊ，４０ｍは、シャフト４０ｉ，４０ｋの後方側に離れている。また、シャフト４０ｉ，４０ｊは、図１１〜１６等に示されるように、凹部４０ｅ内の前方側、かつ凹部４０ｇ内の上方側に位置されている。
【００２９】
また、本実施形態では、一例として、図９，１０に示されるように、可動部４２は、四角形状（本実施形態では、一例として長方形状）かつ板状に構成されている。可動部４２の壁部４２ａは、面４２ｂ，４２ｃと、端部４２ｄ〜４２ｇと、を有している。端部４２ｄには、一定の幅で面４２ｃ側で端部４２ｆとは反対側に突出した突出部４２ｈ（壁部）が設けられている。突出部４２ｈは、電子機器１の筐体３の端部３ｅに押される。突出部４２ｈは、押部（受部、アーム部）の一例である。
【００３０】
また、本実施形態では、一例として、壁部４２ａ（可動部４２）の端部４２ｅ，４２ｇには、側方（端部４２ｅ，４２ｇと直交しかつ面４２ｂ，４２ｃに沿った方向）に向けて開口された溝部４２ｉ，４２ｊ（凹部）が設けられている。溝部４２ｉ，４２ｊは、端部４２ｅ，４２ｇに沿って延びている。溝部４２ｉ，４２ｊは、互いに鏡像関係にある。溝部４２ｉには、シャフト４０ｉ，４０ｊが収容され、溝部４２ｊには、シャフト４０ｋ，４０ｍが収容されている。可動部４２が第一の位置Ｐ１と第四の位置Ｐ４との間で倒れた姿勢のまま移動（スライド）する際（図１５，１６参照）、シャフト４０ｉおよび４０ｊは、溝部４２ｉに沿って相対的に移動し、図１５，１６には示されないが、シャフト４０ｋ，４０ｍも同様に、溝部４２ｊに沿って相対的に移動する。すなわち、本実施形態では、可動部４２の第一の位置Ｐ１と第四の位置Ｐ４との間での移動については、シャフト４０ｉ，４０ｊ，４０ｋ，４０ｍは、スライダ（可動支持部）の一例であり、溝部４２ｉ，４２ｊは、レールの一例である。
【００３１】
また、本実施形態では、一例として、可動部４２が第二の位置Ｐ２と第三の位置Ｐ３との間で立った（後傾した）姿勢のまま移動（スライド）する際（図１３，１４参照）、シャフト４０ｉは、溝部４２ｉに沿って相対的に移動し、図１３，１４には示されないが、シャフト４０ｋも同様に、溝部４２ｊに沿って相対的に移動する。すなわち、本実施形態では、可動部４２の第二の位置Ｐ２と第三の位置Ｐ３との間での移動については、シャフト４０ｉ，４０ｋは、スライダ（可動支持部）の一例であり、溝部４２ｉ，４２ｊは、レールの一例である。
【００３２】
また、本実施形態では、一例として、可動部４２が第一の位置Ｐ１と第二の位置Ｐ２との間で回動（移動）する際（図１１〜１３参照）、シャフト４０ｉが溝部４２ｉの前方側の端部４２ｉ１に位置された状態が維持され、図１１〜１３には示されないが、シャフト４０ｋも同様に、溝部４２ｊの前方側の端部４２ｊ１（図１０参照）に位置された状態が維持される。そして、可動部４２がシャフト４０ｉ，４０ｋを中心として回動する。すなわち、本実施形態では、可動部４２の第一の位置Ｐ１と第二の位置Ｐ２との間での回動（移動）については、シャフト４０ｉ，４０ｋは、可動部４２を回動可能に支持する回動支持部の一例である。本実施形態では、シャフト４０ｉ，４０ｋは、第五の支持部の一例である。
【００３３】
また、本実施形態では、一例として、図９，１０に示されるように、可動部４２の端部４２ｅ，４２ｇの面４２ｃ側には、溝部４２ｉ，４２ｊと繋がった開口部４２ｋ（切欠）が設けられている。図１２，１３に示されるように、可動部４２（壁部４２ａ）が回動する際、シャフト４０ｊが溝部４２ｉと繋がった開口部４２ｋを通るとともに、図１２，１３には示されないが、シャフト４０ｍも同様に溝部４２ｊと繋がった開口部４２ｋを通ることで、可動部４２が回動する。すなわち、開口部４２ｋは、シャフト４０ｉが溝部４２ｉの端部４２ｉ１に当接するとともにシャフト４０ｋが溝部４２ｊの端部４２ｊ１に当接している状態で、シャフト４０ｊ，４０ｍの下方（載置面Ｐ側、第二の位置Ｐ２とは反対側）に、位置されている。開口部４２ｋは、この位置のみに設けられているので、可動部４２が第一の位置Ｐ１以外の位置にある状態では、可動部４２は回動することができない。
【００３４】
また、本実施形態では、一例として、図１０に示されるように、可動部４２（壁部４２ａ）の面４２ｃには、凹部４２ｍが設けられている。この凹部４２ｍにより、可動部４２が第四の位置Ｐ４に位置されている状態で、コネクタ４４と干渉するのが抑制されている。
【００３５】
また、本実施形態では、一例として、図１２に示されるように、電子機器１の筐体３の端部３ｅは、凹部４０ａの支持位置Ｐｓ（図１３参照）に向けて下降する際に、可動部４２の突出部４２ｈを押す。端部３ｅから可動部４２（壁部４２ａ）に作用した力は、可動部４２をシャフト４０ｉ（４０ｋ）に押し当てながら、突出部４２ｈを下方に移動させ、可動部４２を図１２の反時計回り方向に回動させる（移動させる、跳ね上げさせる）。
【００３６】
ここで、本実施形態では、一例として、図１１，１２に示されるように、端部３ｅには傾斜面３ｅ１（傾斜部）が設けられている。端部３ｅは、傾斜面３ｅ１と可動部４２の端部４２ｄの角部４２ｄ１とが接触した状態で、すなわち、角部４２ｄ１に案内されながら、支持位置Ｐｓへ向けて移動することができる。よって、本実施形態では、角部４２ｄ１は、ガイド部の一例である。また、可動部４２に設けられた角部４２ｄ１は、突出部４２ｈの、支持位置Ｐｓとは反対側に位置されている。したがって、仮に筐体３の端部３ｅが後方側（図１１，１２では右側）に少しずれた位置で凹部４０ａに進入した場合にあっても、端部３ｅ（本実施形態では、一例として傾斜面３ｅ１）は、角部４２ｄ１に当たり、前方の支持位置Ｐｓ側へと案内される。また、可動部４２は、シャフト４０ｉ（ベース部４１）に、第一の位置Ｐ１から前方（図１１，１２の左側）へは移動可能に支持されているものの、端部３ｅから可動部４２には後方への力が加わるため、端部３ｅを支持位置Ｐｓへ移動させる際に、端部３ｅから作用した力によって可動部４２が前方へ移動するのは抑制される。また、第一の位置Ｐ１で凹部４０ｅに収容された可動部４２は、第一の位置Ｐ１よりも後方へは移動できず、下方へも移動（回動）できない。よって、可動部４２は、端部３ｅから作用した力によって第二の位置Ｐ２へ向けて回動しやすい。また、突出部４２ｈは、壁部４２ａより薄い厚さで面４２ｃに寄って位置されており、これにより、端部４２ｄの端部３ｅと当接する側（上側）に、段差が設けられている。よって、一例としては、突出部４２ｈが面４２ｂと段差が無く突出した場合に比べて、端部３ｅによって押される位置が定まりやすい。
【００３７】
図１１および図１２の状態を経て、図１３に示されるように、筐体３の端部３ｅは支持位置Ｐｓに位置されるとともに、可動部４２（壁部４２ａ）は第二の位置Ｐ２へ回動（移動）する。次に、図１４に示されるように、第三の位置Ｐ３は、第二の位置Ｐ２より下方に設定されているため、可動部４２に作用した重力により、可動部４２は、第二の位置Ｐ２から第三の位置Ｐ３へ移動する。よって、本実施形態によれば、一例としては、可動部４２は、筐体３を支持する状態により迅速にあるいはより確実に移行しやすい。なお、図１３，１４には、端部３ｅが支持位置Ｐｓに移動した後に、可動部４２が第二の位置Ｐ２から第三の位置Ｐ３へ移動した場合が例示されているが、これはあくまで一例に過ぎず、例えば、端部３ｅの支持位置Ｐｓへの移動に伴って端部３ｅと可動部４２との摩擦（引っ掛かり）等によって、可動部４２が第二の位置Ｐ２から第三の位置Ｐ３へ移動することができる。この場合には、第二の位置Ｐ２から第三の位置Ｐ３へ移動する可動部４２によって、端部３ｅ（筐体３）が支持位置Ｐｓへ案内される。すなわち、この場合は、可動部４２がガイド部として機能する。
【００３８】
また、本実施形態では、一例として、図１４に示されるように、ベース部４１には、凹部４０ｇの下側の端部で、凹部４０ｎが設けられている。凹部４０ｎには、第三の位置Ｐ３に位置された可動部４２（壁部４２ａ）の突出部４２ｈ（端部４２ｄ）が収容される。すなわち、本実施形態では、凹部４０ｎを構成する面４０ｎ１（内面）が、第三の支持部（収容部、保持部、支持部）の一例である。よって、本実施形態によれば、一例としては、可動部４２が第三の位置Ｐ３でより安定的に保持されやすい。よって、一例としては、筐体３が立った姿勢でより安定的に保持されやすい。
【００３９】
また、本実施形態では、一例として、図１４に示されるように、ベース部４１は、凹部４０ｇの面の一部である面４０ｐ（傾斜面）を有している。第三の位置Ｐ３に位置された可動部４２（壁部４２ａ）は、筐体３と面４０ｐとの間に挟まれた状態で、ベース部４１に支持される。すなわち、本実施形態では、面４０ｐが、第四の支持部の一例である。よって、本実施形態では、一例として、可動部４２が凹部４０ｎの面４０ｎ１のみで保持される場合に比べて、可動部４２ひいては筐体３がよりしっかりと保持されやすい。
【００４０】
また、本実施形態では、一例として、図１５，１６に示されるように、可動部４２（壁部４２ａ）は、倒れた姿勢のまま、第一の位置Ｐ１と第四の位置Ｐ４との間で移動することができる。可動部４２は、ユーザの手指等から作用した力によって、凹部４０ｅの面４０ｅ１（底面）に沿って、第一の位置Ｐ１と第四の位置Ｐ４との間を移動することができる。また、第四の位置Ｐ４では、面４０ｃに設けられた凹部４３ｅに突出部４２ｈが収容され、凹部４３ｅを構成する面（壁）に突出部４２ｈ、ひいては可動部４２ｇが支持される。
【００４１】
以上、説明したように、本実施形態では、一例として、可動部４２（壁部４２ａ、第二の支持部）は、ベース部４１（基部）に、倒れた姿勢の第一の位置Ｐ１と立った姿勢の第二の位置Ｐ２との間で回動可能に支持される。また、可動部４２は、ベース部４１による支持位置Ｐｓに近付くように移動する端部３ｅに押されて、第一の位置Ｐ１から第二の位置Ｐ２へ回動することができる。よって、本実施形態によれば、一例としては、可動部４２を、第一の位置Ｐ１から第二の位置Ｐ２へ、より容易に回動させやすい。よって、一例としては、ユーザは、可動部４２を、筐体３を立った状態で支持する状態に、より容易に移行させることができる。
【００４２】
また、本実施形態では、一例として、可動部４２は、ベース部４１に、第二の位置Ｐ２と第三の位置Ｐ３との間で移動可能に支持される。よって、本実施形態によれば、一例としては、可動部４２は、姿勢がより不安定な第二の位置Ｐ２とは異なる第三の位置Ｐ３へより容易に移動することができる。よって、一例としては、筐体３がベース部４１によりしっかりと保持されやすくなる。また、本実施形態では、一例として、可動部４２は、ベース部４１に、第二の位置Ｐ２と第三の位置Ｐ３との間で、筐体３の端部３ｅの支持位置Ｐｓへの移動方向に沿って移動可能に支持される。よって、本実施形態によれば、一例としては、可動部４２は、端部３ｅとともに移動するガイド部として機能することができる。よって、一例としては、筐体３がより確実にスタンド４０に装着されやすい。
【００４３】
また、本実施形態では、一例として、ベース部４１は、可動部４２を第一の位置Ｐ１と第二の位置Ｐ２との間で回動可能に支持するとともに、可動部４２を第二の位置Ｐ２と第三の位置Ｐ３との間で移動可能に支持するシャフト４０ｉ，４０ｋを有する。よって、本実施形態によれば、一例としては、可動部４２が第一の位置Ｐ１と第二の位置Ｐ２と第三の位置Ｐ３との間で移動する構成が、比較的簡素な構成として得られやすい。
【００４４】
また、本実施形態では、一例として、可動部４２は、端部３ｅが角部４２ｄ１（ガイド部）でガイドされる位置よりも支持位置Ｐｓの近くに位置されて端部３ｅに押される突出部４２ｈ（押部）を有する。また、本実施形態では、一例として、可動部４２は、第一の位置Ｐ１に位置された状態で端部３ｅの移動を案内する角部４２ｄ１（ガイド部）を有した。よって、本実施形態によれば、一例としては、筐体３の端部３ｅが突出部４２ｈをより確実に押しやすい。なお、ガイド部は、例えば面４０ｃをガイド部として構成するなど、ベース部４１にも設けることができる。
【００４５】
また、本実施形態では、一例として、可動部４２は、ベース部４１に、第一の位置Ｐ１とコネクタ４４を覆う倒れた姿勢の第四の位置Ｐ４との間で移動可能に支持される。よって、本実施形態によれば、一例としては、可動部４２によってコネクタ４４を覆うことができる。
【００４６】
＜変形例＞
図１７，１８に示される変形例にかかるスタンド４０Ａは、上記実施形態にかかるスタンド４０と同様の構成を備えている。よって、本変形例によっても、上記実施形態と同様の構成に基づく同様の結果（効果）が得られる。ただし、本変形例では、可動部４２を第三の位置Ｐ３から第二の位置Ｐ２側へ動かすイジェクト機構４５（移動機構、移動装置）が設けられている。具体的には、本変形例では、一例として、図１７に示されるように、筐体４３の面４３ｄには、開口部４３ｇが設けられている。この開口部４３ｇから、レバー４５ａ（ハンドル、つまみ）が突出している。開口部４３ｇは、面４３ｄの長手方向（前後方向）に沿って延びており、レバー４５ａは、面４３ｄの長手方向に沿って移動（往復）可能に構成されている。また、ベース部４１内には、レバー４５ａと連動して（一体的に）移動可能なスライダ４５ｂが収容されている。スライダ４５ｂは、ベース部４１の筐体４３内に設けられた凹部４３ｈに移動（往復）可能に収容されている。スライダ４５ｂには、可動部４２の端部４２ｄ（突出部４２ｈ）を押す傾斜面４５ｃが設けられている。よって、本変形例によれば、一例としては、レバー４５ａを移動させることで、可動部４２を第三の位置Ｐ３より上方に押し上げることができる。なお、スライダ４５ｂは、筐体３の端部３ｅを押し上げる押部４６（可動部、ピン、突出部）と連動することができる。一例として、押部４６は、リンク機構やカム機構等（図示されず）を介してスライダ４５ｂに接続される。この場合には、ユーザは、スライダ４５ｂを、図１７，１８の矢印Ｓ方向に移動させることで、可動部４２とともに電子機器１の筐体３を押し上げることができる。
【００４７】
以上、本発明の実施形態および変形例を例示したが、上記実施形態および変形例はあくまで一例であって、発明の範囲を限定することは意図していない。上記実施形態および変形例は、その他の様々な形態で実施されることが可能であり、発明の要旨を逸脱しない範囲で、種々の省略、置き換え、組み合わせ、変更を行うことができる。上記実施形態および変形例は、発明の範囲や要旨に含まれるとともに、特許請求の範囲に記載された発明とその均等の範囲に含まれる。また上記実施形態と変形例との間で、構成要素を部分的に置き換えることも可能である。また、各構成要素のスペック（構造や、種類、方向、形状、大きさ、長さ、幅、厚さ、高さ、数、配置、位置、材質等）は、適宜に変更して実施することができる。一例としては、スタンドは、可動部（第二の支持部）にシャフト（スライダ、突出部）が設けられ、ベース部（基部）にシャフトを移動可能に案内する溝部（レール）が設けられた構成とすることができる。また、スタンドは、第二の支持部を所定方向に弾性的に押す弾性部材を備えることができる。
【符号の説明】
【００４８】
１…電子機器、３…筐体、３ｅ…端部、３ｍ…壁部、１６…コネクタ（第一のコネクタ）、４０，４０Ａ…スタンド、４０ｂ〜４０ｄ…面（第一の支持部）、４０ｉ，４０ｋ…シャフト（第五の支持部）、４０ｎ１…面（第三の支持部）、４０ｐ…面（第四の支持部）、４１…ベース部（基部、固定部）、４２…可動部（第二の支持部）、４２ｄ１…角部（ガイド部）、４２ｈ…突出部（押部）、４４…コネクタ（第二のコネクタ）、Ｐ１…第一の位置、Ｐ２…第二の位置、Ｐ３…第三の位置、Ｐ４…第四の位置、Ｐｓ…支持位置。
【図１】
2014130947.tif 000003
【図２】
2014130947.tif 000004
【図３】
2014130947.tif 000005
【図４】
2014130947.tif 000006
【図５】
2014130947.tif 000007
【図６】
2014130947.tif 000008
【図７】
2014130947.tif 000009
【図８】
2014130947.tif 000010
【図９】
2014130947.tif 000011
【図１０】
2014130947.tif 000012
【図１１】
2014130947.tif 000013
【図１２】
2014130947.tif 000014
【図１３】
2014130947.tif 000015
【図１４】
2014130947.tif 000016
【図１５】
2014130947.tif 000017
【図１６】
2014130947.tif 000018
【図１７】
2014130947.tif 000019
【図１８】
2014130947.tif 000020